(57)【要約】      （修正有）【課題】利便性に優れると共に操作が簡単な押出推進器を提供する。【解決手段】握持ユニット２１と結合ユニット２３とを含む。握持ユニット２１は、収容空間と収容空間に内設された中空管体と握持ユニットの外周側に凹設され、且つ、収容空間に連絡し、握持ユニットに隣接する一端から握持ユニットの他端へ延伸して構成された少なくとも１個の溝２１４とを、備える。結合ユニット２３は収容空間内に移動自在に摺設される。【選択図】図２Ａ
0003177568.tif 000002
【実用新案登録請求の範囲】
【請求項１】
収容空間と前記収容空間に内設された中空管体と握持ユニットの外周側に凹設され、且つ、前記収容空間に連絡し、握持ユニットに隣接する一端から握持ユニットの他端へ延伸して構成された少なくとも１個の溝とを、備える握持ユニットと、
前記収容空間内に移動自在に摺設され、且つ、その外側に摺動係止突部が設けられ、前記摺動係止突部は相対の前記溝内に沿って移動する結合ユニットと、
を含むことを特徴とする押出推進器。
【請求項２】
前記収容空間は、第１の開放側と第２の開放側とを備え、前記第１の開放側が第２の開放側に対応すると共に前記収容空間を区画することを特徴とする請求項１に記載の押出推進器。
【請求項３】
前記中空管体に固定端、及び、前記固定端から外側へ延伸する自由端が設けられ、前記固定端は前記第２の開放側に隣接する収容空間の内壁まで延伸し、前記自由端が前記第１の開放側から突出することを特徴とする請求項２に記載の押出推進器。
【請求項４】
前記溝内に複数の定位ゾーン、及び、複数の推進ゾーンが設けられ、前記定位ゾーンは前記溝の屈曲部に位置し、前記推進ゾーンが前記定位ゾーンの間に位置することを特徴とする請求項１に記載の押出推進器。
【請求項５】
前記溝は、複数の凸部材を備え、前記凸部材が前記定位ゾーンの内壁に形成され、対応する前記摺動係止突部にある切欠部と係合することを特徴とする請求項４に記載の押出推進器。
【請求項６】
前記結合ユニットに中空筒体と基台と蓋体が設けられ、前記中空筒体は、前記基台の一端から軸方向延伸して構成し、且つ、その中に充填物を収容するための収納空間と、前記基台の一端に対向する該中空筒体の収納空間内に設けられ、また、前記自由端に対向する押出部とを備え、前記基台の他端は前記蓋体と対応して嵌合し、且つ、開口部を備え、前記開口部が前記収納空間に連絡することを特徴とする請求項１に記載の押出推進器。
【請求項７】
前記溝は、大まかに蛇状、或いは、連続弓字状となることを特徴とする請求項１に記載の押出推進器。
【請求項８】
前記押出部は、第１の端面と前記第１の端面に対向する第２の端面とを備え、前記第１の端面は前記充填物に対向して貼設され、前記第２の端面に複数の受柱が設けられ、前記受柱は前記第２の端面と対応する自由端に当接することを特徴とする請求項６に記載の押出推進器。
【考案の詳細な説明】
【技術分野】
【０００１】
本考案は、押出器に関し、特に、優れた利便性及び簡単な操作性を兼ね備えた押出推進器に関する。
【背景技術】
【０００２】
一般的に家庭、オフィス及び公共場所でよく見られる便器構造は、便器の清潔さの維持及びそこから発せられる臭気に配慮するため、通常便器の貯水タンクに芳香洗浄剤を入れ、芳香洗浄剤を貯水タンク内で徐々に溶解させると水タンク内の水と混ざり合うようになっている。便器を使用してから水を流した時、貯水タンク内の芳香洗浄剤が混ざり合った水により便器上の汚れ及び臭気を除去して、洗浄及び消臭を効果的に上げることができる。
【０００３】
上記従来の方法は、洗浄及び消臭の効果を挙げることができるが、別の問題が派生している。芳香洗浄剤を使用する度に、貯水タンクの蓋を取り外してから、芳香洗浄剤を貯水タンクに投入し、次に蓋を貯水タンクに取り付けなければならないため、使用上、非常に手間が掛かり、従って操作し難いと共に利便性に欠ける。そこで業者は使用上の不便を改善するため、押出器の開発に至った。
【０００４】
図１Ａ、図１Ｂ、図１Ｃを参照しながら説明する。従来の押出器は、握持体１１と筒体１２とを含み、該筒体１２は握持体１１内の収容空間１１１に移動自在に摺設され、筒体１２上の凸起部１２１と握持体１１の外周側に設けられた複数の間隔に対応して設けられ穴１１３とを係合させ、そのため使用者が押出器を操作した時、使用者１６の片手が筒体１２上の凸起部１２１を下向きに押し下げ、また使用者１６の別の片手は握持体１１を便器１７に対応する方向に向かって引き上げることで、筒体１２上の凸起部１２１を握持体１１の次の穴１１３へ移動させることができ、同時に筒体１２内のゲル状芳香洗浄剤１９を押出して、該便器１７の内壁に付着させることで、使用上の利便効果を上げることができる。
【０００５】
しかし、従来の押出器は使用上便利であるが、その効果は顕著ではない。操作において筒体１２の凸起部１２１を押し込み及び握持体１１を便器１７の反対方向へ引き上げなければならないため、両者のいずれかの加圧の力が不均一の場合、筒体１２の凸起部１２１を握持体１１の上下の穴１１３に移動させることができない。相対的にゲル状芳香洗浄剤１９を押し出すことができず、利便性が悪い及び操作しにくいという状況が起きてしまう。
上記によると、従来の技術には下記の欠点がある。
１．  利便性が悪い。
２．  操作しにくい。
【考案の概要】
【考案が解決しようとする課題】
【０００６】
そこで、上記従来技術の欠点を解決するため、本考案は、利便性が良好で操作も簡単な押出推進器を提供することを主な目的とする。
【課題を解決するための手段】
【０００７】
上記目的を達成するため、本考案は、握持ユニットと結合ユニットとを含んだ押出推進器を提供することにあり、該握持ユニットは収容空間と該収容空間に内設された中空管体と該握持ユニットの外周側に凹設形成され、且つ収容空間に連絡し、該握持ユニットに隣接する一端から該握持ユニットの他端へ延伸して構成された少なくとも１個の溝とを、備える。
【０００８】
また該結合ユニットは、該握持ユニットに相対する収容空間内に移動自在に摺設され、且つその外側に摺動係止突部が設けられ、該摺動係止突部は相対の溝内に沿って移動する。前記溝と対応する摺動係止突部の結合移動を通じて、結合ユニット内に収納された充填物を簡単に押し出すことができるため、操作が簡単及び利便性が良好な効果を上げることができる。
【図面の簡単な説明】
【０００９】
【図１Ａ】従来の組立立体図である。
【図１Ｂ】従来の断面立体図である。
【図１Ｃ】従来の実施立体図である。
【図２Ａ】本考案の好ましい実施例の組立立体図である。
【図２Ｂ】本考案の好ましい実施例の他の組立立体図である。
【図３】本考案の好ましい実施例の分解立体図である。
【図４】本考案の好ましい実施例の断面立体図である。
【図５】本考案の握持ユニットの立体図である。
【図６Ａ】本考案の好ましい実施例の実施立体図である。
【図６Ｂ】本考案の好ましい実施例の他の実施立体図である。
【図６Ｃ】本考案の好ましい実施例の他の実施立体図である。
【考案を実施するための形態】
【００１０】
以下、本考案の上記目的及びその構造と機能上の特徴について、好ましい実施例を添付図面に基づいて説明する。
【００１１】
本考案に係る押出推進器について、図２Ａ、図２Ｂ、図３、図５図に示される本考案の好ましい実施例の組立図及び分解図を参照しながら説明する。該押出推進器２は握持ユニット２１と結合ユニット２３とを含む。前記握持ユニット２１は収容空間２１１と中空管体２１３と少なくとも１個の溝２１４とを備える。前記収容空間２１１は第１の開放側２１１１と第２の開放側２１１２とを備え、該第１の開放側２１１１が第２の開放側２１１２に対応すると共に前記収容空間２１１を区画する。
【００１２】
その他、前記中空管体２１３は該収容空間２１１に内設され、且つ固定端２１３１及び自由端２１３２を設ける。該固定端２１３１は該第２の開放側２１１２に隣接する収容空間２１１内壁まで延伸する。該自由端２１３２は該第１の開放側２１１１から突出し、つまり該自由端２１３２が該固定端２１３１から対応する第１の開放側２１１１に向かって外側へ延伸して構成され、且つ第１の開放側２１１１から突出する。
【００１３】
次に、該溝２１４は大まかに蛇状或いは連続弓字状となり、且つ該握持ユニット２１の外周側に凹設され、該収容空間２１１に連絡し、つまり前記溝２１４は該握持ユニット２１に隣接する一端から該握持ユニット２１の他端へ延伸して凹設形成する。また該溝２１４に複数の定位ゾーン２１４１、複数の推進ゾーン２１４２及び複数の凸部材２１４４を設ける。これら定位ゾーン２１４１は該溝２１４の屈曲部に位置し、相対する結合ユニット２３の外側に設けられた摺動係止突部２３１を定位（或いは固定）することで、摺動係止突部２３１の移動を防止することに用いる。
【００１４】
図２Ａ、図２Ｂ、図３、図４、図５を参照しながら説明する。これら推進ゾーン２１４２は、これら定位ゾーン２１４１の間に位置し、該摺動係止突部２３１を該溝２１４内の推進ゾーン２１４２に沿って他の相対する定位ゾーン２１４１方向へ移動するようガイドすることに用いる。つまり、前記摺動係止突部２３１は、相対する該溝２１４内に沿って移動する。これら凸部材２１４４は、これら定位ゾーン２１４１の内壁に形成され、対応する該摺動係止突部２３１にある切欠部２３１１と係合することで、該摺動係止突部２３１を対応する定位ゾーン２１４１内に効果的に固定させることができる。
【００１５】
また、前記結合ユニット２３は、該握持ユニット２１の収容空間２１１内に移動自在に摺設され、且つ中空筒体２３３と基台２３４と蓋体２３５が設けられる。該中空筒体２３３は、該基台２３４の一端から軸方向延伸して構成し、その中に充填物３（例えばゲル状芳香洗浄剤）を収容するための収納空間２３３１と、該基台234の一端に対向する該中空筒体233の収納空間２３３１内に設けられ、また該自由端2132に対向する押出部25と、を備える。該押出部２５は、第１の端面２５１と該第１の端面２５１に対向する第２の端面２５２とを備える。
【００１６】
前記第１の端面２５１は、充填物３に対向して貼設され、該第２の端面２５２に複数の受柱２５３が設けられる。これら受柱２５３は、該第２の端面２５２から外側へ凸起して構成し、且つ対応する自由端２１３２に当接するため、摺動係止突部２３１が該溝２１４内の推進ゾーン２１４２に沿って他の相対する定位ゾーン２１４１方向へ移動すると同時に、該受柱２５３は自由端２１３２の前への水平力を受けて、該押出部２５が収納空間２３３１内の充填物３に対して前へ押進して移動させる。
【００１７】
次に、前記蓋体２３５は、該基台２３４の他端と対応して嵌合し、また該押出推進器２を使用しない時、該収納空間２３３１内の充填物３の溢出を効果的に防止することに用い、従ってより一層防塵の効果を上げる。該基台２３４は開口部２３４１を備え、該開口部２３４１が該収納空間２３３１に連絡し、該収納空間２３３１内の充填物３が押出部２５の前への押進を受けて移動した後、該開口部２３４１から外部へ押し出される。
【００１８】
以下、実施例を挙げて説明する。
【００１９】
図３、図４、図６Ａ、図６Ｂ、図６Ｃを参照しながら説明する。使用者５は押出推進器２を使用しようとする時、該中空筒体２３３を該収容空間２１１に相対する第１の開放側２１１１へ入れ込み（或いは滑り入れ）、該中空筒体２３３にある摺動係止突部２３１を対応する該溝２１４の定位ゾーン２１４１内（図４）に係着させながら該中空管体２１３の自由端２１３２がこれら受柱２５３に当接し、その後基台２３４上の開口部２３４１を便器４の内壁に合わせ、そして該中空筒体２３３を推進ゾーン２１４２方向へ回すと共に前に押し込み（図６Ａ、図６Ｂ）、該摺動係止突部２３１を該溝２１４内の推進ゾーン２１４２に沿って他の相対する定位ゾーン２１４１方向へ移動させる。
【００２０】
この場合、これら受柱２５３は、該中空管体２１３の自由端２１３２の前への押進を受け、従って該押出部２５の第１の端面２５１を駆動して前に充填物３が押し出され、該摺動係止突部２３１が他の定位ゾーン２１４１（図６Ｂ）に係着すると同時に、前記充填物３が押出部２５の押進を受けて開口部２３４１から押し出されると共に該便器４の内壁に付着する（図６Ｃ）。
【００２１】
よって、本考案の押出推進器２の設計により、使用上非常に便利である以外に、実際に操作した時、使用者５は片手で操作しても簡単に充填物３を押し出すことができ、従って操作が容易にできるという効果を上げる。
【００２２】
上記によれば、従来に比べて本考案が以下の長所を持っている。
１．  利便性が良い。
２．  操作が容易であるという効果を上げる。
【００２３】
以上好ましい具体的実施例により、本考案の特徴及び趣旨をさらに詳しく記述したが、前述に開示した好ましい具体的実施例は、本考案の範疇を限定するものではない。本考案の分野内において当業者が容易に想到する種々の変更及び改変は、本考案の実用新案登録請求の範囲内に含まれるものであるのが勿論である。
【符号の説明】
【００２４】
２        押出推進器
２１      握持ユニット
２１１    収容空間
２１１１  第１の開放側
２１１２  第２の開放側
２１３    中空管体
２１３１  固定端
２１３２  自由端
２１４    溝
２１４１  定位ゾーン
２１４２  推進ゾーン
２１４４  凸部材
２３      結合ユニット
２３１    摺動係止突部
２３１１  切欠部
２３３    中空筒体
２３３１  収納空間
２３４    基台
２３４１  開口部
２３５    蓋体
２５      押出部
２５１    第１の端面
２５２    第２の端面
２５３    受柱
３        充填物
４        便器
５        使用者
【図１Ａ】
0003177568.tif 000003
【図１Ｂ】
0003177568.tif 000004
【図１Ｃ】
0003177568.tif 000005
【図２Ａ】
0003177568.tif 000006
【図２Ｂ】
0003177568.tif 000007
【図３】
0003177568.tif 000008
【図４】
0003177568.tif 000009
【図５】
0003177568.tif 000010
【図６Ａ】
0003177568.tif 000011
【図６Ｂ】
0003177568.tif 000012
【図６Ｃ】
0003177568.tif 000013